(57)【要約】      （修正有）【課題】組立作業性が良く、重量物に耐えるダンボール製緩衝材を提供する。【解決手段】底面板11の一方の両側には折り曲げ線13を介して前面板32、前面上面板33、前面板34を折り曲げ線14、15を介して連接し、前記底面板11の一方の両側片方には、折り曲げ線16を介して、側面板38、側面上面板39、側面板40、側面底面板43、側面板44、側面上面板45、側面板46、側面板48を連接し、側面板38の両側には、折り曲げ線29を介して前面補強板56を連接し、前記底面板11のもう片方には、折り曲げ線24を介して上面側面板50、上面板51、上面側面板53、上面板54、上面板55を折り曲げ線25、26、27、28を介して連接し、さらに、前記底面板11より折り曲げ線24を介して両側にそれぞれ前面補強側面板57、前面補強板58、前面補強板59を折り曲げ線30、31を介して連接した。【選択図】  図１
2005001713.tif 000002
【特許請求の範囲】
【請求項１】
単一の連続する段ボール板（１０）からなる緩衝材であって、底面板（１１）の一方の両側にはそれぞれ折り曲げ線（１３）を介して前面板部（１２）である第一前面板（３２）と、前面上面板（３３）と、第二前面板（３４）とを折り曲げ線（１４）、（１５）を介して折り曲げ可能に連接し、前記底面板（１１）のもう一方の両側の片方には、折り曲げ線（１６）を介して、側面板部（３７）である第一側面板（３８）と、第一側面上面板（３９）と、第二側面板（４０）と、第一側面底面板（４３）と、第三側面板（４４）と、第二側面上面板（４５）と、第四側面板（４６）と、第五側面板（４８）とを折り曲げ線（１７）、（１８）、（１９）、（２０）、（２１）、（２２）、（２３）を介して折り曲げ可能に連接し、さらに、第一側面板（３８）の両側には、それぞれ折り曲げ線（２９）を介して第一前面補強板（５６）を連接し、前記底面板（１１）のもう片方には、折り曲げ線（２４）を介して上面板部（４９）である第一上面側面板（５０）と、第一上面板（５１）と、第二上面側面板（５３）と、第二上面板（５４）と、第三上面板（５５）とを折り曲げ線（２５）、（２６）、（２７）、（２８）を介して折り曲げ可能に連接し、さらに、前記底面板（１１）より折り曲げ線（２４）を介して両側にそれぞれ前面補強側面板（５７）と、第二前面補強板（５８）と、第三前面補強板（５９）とを折り曲げ線（３０）、（３１）を介して折り曲げ可能に連接したことを特徴とする段ボール製緩衝材。
【請求項２】
第二側面板（４０）の両端部分に折り曲げ線（１９）と共に設けた第一切り込み（４１）により、前記折り曲げ線（１９）を折り曲げて形成される第二差込片（４１ａ）を底面板（１１）に設けた第一角穴（３５）に差し込み、側面板部（３７）と底面板（１１）の組み立て形状を固定した後、第二前面板（３４）の先端部分に設けた第一差込片（３４ａ）を底面板（１１）に設けた第二角穴（３６）に差し込み、前面板部（１２）と、底面板部（１１）との組み立て形状を固定するとき、第一、第二、第三前面補強板（５６）、（５８）、（５９）を前面板部（１２）に挟み込んで、側面板部（３７）と共に前面板部（１２）と底面板（１１）との組み立て形状を固定するようにし、また、第一上面板（５１）と、第二上面側面板（５３）と、第二上面板（５４）に設けた折り曲げ線（２６）、（２７）と共に設けた第二切り込み（５２）により、前記折り曲げ線（２６）、（２７）を折り曲げて形成される第三差込片（５２ａ）を第二側面板（４０）の中央部分に設けた第三角穴（４２）と、第五側面板（４８）に折り曲げ線（２３）と共に設けた第四角穴（４７）に差し込み、側面板部（３７）と上面板部（４９）の組み立て形状を固定するように構成したことを特徴とする請求項１記載の段ボール製緩衝材。
【発明の詳細な説明】
【０００１】
【発明の属する技術分野】
本発明は、単一の連続する段ボール板から組み立てられ、電子レンジなどの比較的重量物の電気機器などを包装するときに用いられる緩衝材の改良に関するものである。
【０００２】
【従来の技術】
この種の包装形態は、電気機器などを包装する場合において、機器が段ボール箱の内部で動かないようにし、さらに落下や振動による外的障害から内容品である機器を保護することを目的として緩衝材と共に機器を包装箱の内部に収納して、外的障害から機器の保護が図られており、従来の緩衝材としては、発泡スチロールなどの発泡プラスチックを成型したものが多く利用されている。
【０００３】
例えば、図４、図５に示すような包装を行っていた。
【０００４】
図４において、１は製品である機器であり、この製品１は、４個の発泡スチロールからなる成形緩衝材３により製品１の４つのコーナー部を夫々固定した後、段ボール製の包装箱２の中に収納され、物流に供していた。
【０００５】
また、図５において、１は製品である機器であり、この製品１は、４個の段ボールからなる緩衝材４により製品１の４つのコーナー部を夫々固定した後、段ボール製の包装箱の中に収納され、物流に供していた（例えば特許文献１参照）。
【０００６】
【特許文献１】
特開２００１−４８２４０号公報
【０００７】
【発明が解決しようとする課題】
上記従来技術のうち最初に示すものは、製品を外部からの衝撃から保護するために用いられる発泡スチロールからなる発泡プラスチック系緩衝材は、リサイクルするための運搬の費用や再資源化の費用がかさむこと等のリサイクルがしにくいことにより、紙系の材料とした包装用緩衝材へと切り替えることが要請されている。
【０００８】
そして、使い勝手の面でも、４個の成形緩衝材をそれぞれ所定の箇所に配置する作業が繁雑であり、緩衝材の保管場所のスペースも十分のスペースが必要となるため、組み立て作業費や保管費用が高くなってしまうといった問題があった。
【０００９】
また、後者に示す段ボール製緩衝材は、段ボール製のため、環境面や保管スペース等の問題は解決できるが、電子レンジ等の比較的重量物の包装には、緩衝材の受圧部分が筒状の形状であるため、落下衝撃などにはどうしても耐えられない構造となっていた。また、２ピース以上の構造となっているため、組み立て作業性が悪い等の問題があった。
【００１０】
【課題を解決するための手段】
本発明は上記課題を解決するためになされたものであり、請求項１では単一の連続する段ボール板からなる緩衝材であって、底面板の一方の両側にはそれぞれ折り曲げ線を介して前面板部である第一前面板と、前面上面板と、第二前面板とを折り曲げ線を介して折り曲げ可能に連接し、前記底面板のもう一方の両側の片方には、折り曲げ線を介して、側面板部である第一側面板と、第一側面上面板と、第二側面板と、第一側面底面板と、第三側面板と、第二側面上面板と、第四側面板と、第五側面板とを折り曲げ線を介して折り曲げ可能に連接し、さらに、第一側面板の両側には、それぞれ折り曲げ線を介して第一前面補強板を連接し、前記底面板のもう片方には、折り曲げ線を介して上面板部である第一上面側面板と、第一上面板と、第二上面側面板と、第二上面板と、第三上面板とを折り曲げ線を介して折り曲げ可能に連接し、さらに、前記底面板より折り曲げ線を介して両側にそれぞれ前面補強側面板と、第二前面補強板と、第三前面補強板とを折り曲げ線を介して折り曲げ可能に連接したものである。
【００１１】
請求項２では、第二側面板の両端部分に折り曲げ線と共に設けた第一切り込みにより、前記折り曲げ線を折り曲げて形成される第二差込片を底面板に設けた第一角穴に差し込み、側面板部と底面板の組み立て形状を固定した後、第二前面板の先端部分に設けた第一差込片を底面板に設けた第二角穴に差し込み、前面板部と、底面板部との組み立て形状を固定するとき、第一、第二、第三前面補強板を前面板部に挟み込んで、側面板部と共に前面板部と底面板との組み立て形状を固定するようにし、また、第一上面板と、第二上面側面板と、第二上面板に設けた折り曲げ線と共に設けた第二切り込みにより、前記折り曲げ線を折り曲げて形成される第三差込片を第二側面板の中央部分に設けた第三角穴と、第五側面板に折り曲げ線と共に設けた第四角穴に差し込み、側面板部と上面板部の組み立て形状を固定するように構成したものである。
【００１２】
これによって、段ボール板で作られた緩衝材を用いる構成にしたことにより、製品である被包装物を効率良く包装できる緩衝材を提供することができる。
【００１３】
また、外部からの衝撃に対して製品を確実に保護することができる。
【００１４】
また、段ボール板を用いることで、包装材の保管費用の削減や包装材のコスト低減を計ることができる。
【００１５】
さらに、接着剤などを使用しない段ボール製緩衝材とすることができたので使用後のリサイクルが容易となる。
【００１６】
【発明の実施の形態】
以下、本発明の一実施例を図面に基づいて説明する。
【００１７】
図１は、本発明の一実施例を示す緩衝材５の展開平面図であり、図２は、緩衝材５の組み立て状態を示す外観斜視図であり、図３は、緩衝材５を使用した包装形態の外観斜視図である。
【００１８】
図１において、１０は緩衝材５を組み立てる単一の連続する段ボール板である。
【００１９】
この段ボール板１０は、底面板１１に第一角穴３５と第二角穴３６を設け、前記底面板１１の一方の両側にはそれぞれ折り曲げ線１３を介して、前面板部１２である第一前面板３２と、前面上面板３３と、第二前面板３４とを折り曲げ線１４、１５を介して折り曲げ可能に連接し、さらに第二前面板３４の先端部分には第一差込片３４ａを設けてある。
【００２０】
また、前記底面板１１のもう一方の両側の片方には、折り曲げ線１６を介して、側面板部３７である第一側面板３８と、さらに折り曲げ線１７を介して第一側面上面板３９と、さらに折り曲げ線１８を介して両端部分に折り曲げ線１９と共に第一切り込み４１及び第三角穴４２を設けた第二側面板４０と、さらに折り曲げ線１９を介して第一側面底面板４３と、さらに折り曲げ線  を介して第三側面板４４と、さらに折り曲げ線２１を介して第二側面上面板４０と、さらに折り曲げ線２２を介して第四側面板４６と、さらに折り曲げ線２３を介して第四角穴４７を設けた第五側面板４８とを折り曲げ可能に連接している。
【００２１】
また、第一側面板３８の両側には、それぞれ折り曲げ線２９を介して第一前面補強板５６を連接している。
【００２２】
また、第二側面板４０の両端部分には、折り曲げ線１９と共に設けた第一切り込み４１により第二差込片４１ａを設けてある。
【００２３】
底面板１１のもう片方には、折り曲げ線２４を介して上面板部４９である第二切り込み５２を設けた第一上面側面板５０と、さらに折り曲げ線２５を介して第一上面板５１と、さらに折り曲げ線２６を介して第二上面側面板５３と、さらに折り曲げ線２７を介して第二上面板５４と、さらに折り曲げ線２８を介して第三上面板５５とを折り曲げ可能に連接している。
【００２４】
また、それぞれの前面板部１２の下側には前記底面板１１より折り曲げ線２４及び第三切り込み６０を介して前面補強側面板５７と、さらに折り曲げ線３０を介して第二前面補強板５８と、さらに折り曲げ線３１を介して第三前面補強板５９とを折り曲げ可能に連接している。
【００２５】
また、第二上面側面板５３と、第二上面板５４に設けた折り曲げ線２６、２７と共に設けた第二切り込み５２により第三差込片５２ａを設けてある。
【００２６】
次に、以上の様な構成からなる段ボール板１０を、図３に示すような緩衝材５に組み立てる動作について図１、図２に基づいて説明する。
【００２７】
先ず、図１において、段ボール板１０は、折り曲げ線２３の所で第五側面板４８を向こう側に折り曲げ、第四側面板４６と背中合わせとなる様に折り曲げた後、折り曲げ線２２、２１、２０、１９、１８、１７、１６に沿って前記第五側面板４８及び第四側面板４６と共に第二側面上面板４０と、第三側面板４４と、第一側面底面板４３と、第二側面板４０と、第一側面上面板３９と、第一側面板３８とを手前側下方向に巻くように順番に折り曲げ、第五側面板４８と、第四側面板４６と、第三側面板４４と、第二側面板４０と、第一側面板３８とによって積層された側面板部３７を形成する。
【００２８】
また、この時、第二側面板４０の両端部分に設けた第一切り込み４１により折り曲げ線１９に沿って第二側面板４０と、第一側面底面板４３とを折り曲げることによって生じる第二差込片４１ａを、底面板１１に設けた第一角穴３５に差し込んで側面板部３７と底面板１１の組み立て形状を固定する。
【００２９】
次に、折り曲げ線２９に沿って第一前面補強板５６を手前側に９０°折り曲げ、また、折り曲げ線２４に沿って第三切り込み６０のところで前面補強側面板５７を手前上方向に９０°折り曲げた後、折り曲げ線３０に沿って第二前面補強板５８を内側に折り曲げると共に、折り曲げ線３１に沿って第三前面補強板５９を下方向に折り曲げ、第一、第二、第三前面補強板５６、５８、５９によって積層された部分を巻くように折り曲げ線１３、１４、１５に沿って第一前面板３２と、前面上面板３３と、第二前面板３４とを折り曲げる。
【００３０】
この時、第一前面板３２と第二前面板３４の折り曲げた中に第一、第二、第三前面補強板５６、５８、５９の積層された部分が入るように折り曲げる。
【００３１】
そして、第二前面板３４の先端部分に設けた第一差込片３４ａを、底面板１１に設けた第二角穴３６に差し込むことにより、前面板部１２と底面板１１の組み立て形状を固定し、さらに第一前面補強板５６によって側板面部３７も同時に固定する。
【００３２】
次に、折り曲げ線２８に沿って第三上面板５５を向こう側に折り曲げ、第二上面板５４と背中合わせとなる様にした後、折り曲げ線２７、２６、２５、２４に沿って、前記第三上面板５５及び第二上面板５４と共に第二上面側面板５３と、第一上面板５１と、第一上面側面板５０とを手前側上方向に巻くように折り曲げ、第三上面板５５と、第二上面板５４と、第一上面板５１とによって積層された上面板部４９を形成する。
【００３３】
また、この時、第一上面板５１の中央部分に設けた第二切り込み５２を、折り曲げ線２６、２７に沿って第一上面板５１と、第二上面板５４とを折り曲げることによって生じる第三差込片５２ａを、側面板部３７に設けた第三角穴４２及び第四角穴４７に差し込んで、上面板部４９と側面板部３７の組み立て形状を固定する。
【００３４】
以上の構成による作用について説明する。
【００３５】
製品１を梱包する組み立て手順は、先ず、上部の蓋６を開けた包装箱２を床に置き、その包装箱２の底部の両隅に組み立てた緩衝材５を入れ、製品１を緩衝材５の上に乗せ製品１の底面を固定する。
【００３６】
次に組み立てた緩衝材５を製品１の上面の隅に嵌め上面を固定するように入れる。そして、包装箱２の上部の蓋６を閉じ、その後包装箱２の周囲にバンド、またはテープを貼るなどの処理を行う。
【００３７】
このような構成にしたことにより、包装箱２に加わる衝撃は、緩衝材５の前面板部１２と、側面板部３７と、上面板部４９の全て４層以上に積層して形成された衝撃吸収板によって保護されることとなり、製品１を外部からの衝撃に対して確実に保護することが可能となる。
【００３８】
また、緩衝材５はリサイクルしやすい段ボールを使用し、さらに接着剤などを使用しないので、使用後のリサイクルが容易となる。
【００３９】
また、このような段ボール板で作られた緩衝材を用いる構成としたことにより、製品である被包装物を効率良く包装できる緩衝材を提供することができる。
【００４０】
さらに、段ボール板を用いることで、包装材の保管費用の削減、包装材のコスト低減を計ることができる。
【００４１】
【発明の効果】
以上、説明したように本発明によれば、包装箱内に収納される製品は、外部からの衝撃に対して前面板部と、側面板部と、上面板部を全て４層以上に積層して形成された衝撃吸収板によって保護することができ、重量物である製品の保護が可能となった。
【００４２】
また、段ボール板からなる緩衝材は、展開した平板な状態で輸送、保管することができ、保管スペースの縮小による保管費用の削減が可能となった。
【００４３】
さらに、接着剤を使用せず、差込片による組み立て形状の固定のため使用後のリサイクルが容易な段ボール製緩衝材を提供することができ、且つ発泡スチロールなどの発泡プラスチック樹脂を使用しないため、環境面でも極めて優れた効果の緩衝材を提供することができる。
【図面の簡単な説明】
【図１】本発明の一実施例を示す緩衝材の展開平面図である。
【図２】同じく緩衝材の組み立て状態を示す外観斜視図である。
【図３】同じく緩衝材を使用した包装形態の外観斜視図である。
【図４】従来例の包装形態の外観斜視図である。
【図５】従来例（特許文献１）の包装形態の外観斜視図である。
【符号の説明】
１０  段ボール板
１１  底面板
１２  前面板部
１３〜３１  折り曲げ線
３２  第一前面板
３３  前面上面板
３４  第二前面板
３４ａ  第一差込片
３５  第一角穴
３６  第二角穴
３７  側面板部
３８  第一側面板
３９  第一側面上面板
４０  第二側面板
４１  第一切り込み
４１ａ  第二差込片
４２  第三角穴
４３  第一側面底面板
４４  第三側面板
４５  第二側面上面板
４６  第四側面板
４７  第四角穴
４８  第五側面板
４９  上面板部
５０  第一上面側面板
５１  第一上面板
５２  第二切り込み
５２ａ  第三差込片
５３  第二上面側面板
５４  第二上面板
５５  第三上面板
５６  第一前面補強板
５７  前面補強側面板
５８  第二前面補強板
５９  第三前面補強板
【図１】
2005001713.tif 000003
【図２】
2005001713.tif 000004
【図３】
2005001713.tif 000005
【図４】
2005001713.tif 000006
【図５】
2005001713.tif 000007